(57)【要約】      （修正有）【課題】犬糞を、道路等の路面に落下させることなく、手早くこれを捕捉でき、落下した糞も簡便に収集できる、高齢者又は子供等にも使用と携行に至便な、ペットの排泄物処理容器とその補助具を提供する。【解決手段】容器Ｃは、厚手の紙製シートに刻設された折り線１ｆ等を介して、把持部２、底部３、側壁部４、４’、開口部５、糞受部６及び蓋片７等を形成し、不使用時は扁平状で、使用に際しては筒状体となる。【選択図】図１
0003116937.tif 000002
【実用新案登録請求の範囲】
【請求項１】
平面視ほぼ四角形状の一枚の紙製シートからなり、
一の角部を三角形状に切除すると共に、切除した切断線から対向する対辺に向けて複数の直線状折り線を、また前記対辺間にも直線状折り線を刻設し、
前記切断線の内周縁と該切断線の両端に接する連接辺の内周縁とを、接着剤を介して接合し、
把持部、底部、側壁部、開口部、糞受部及び蓋片を形成してなることを特徴とする、
ペットの排泄物処理容器。
【請求項２】
前記紙製シートが、適度の加圧で変形可能な剛性を有するか又は、水溶性である厚手の紙、再生の上質紙、色上質紙、クラフト紙又はコートボールなどの紙であることを特徴とする、請求項１記載のペットの排泄物処理容器。
【請求項３】
前記紙製シートの厚さが、約０．２ｍｍ〜０．８ｍｍであることを特徴とする、請求項１又は請求項２記載のペットの排泄物処理容器。
【請求項４】
平面視長方形又は正方形状の一枚の紙製シートからなり、
該紙製シートの中心を結ぶ対辺に、他の対辺に平行する直線状折り線を刻設したことを特徴とする、請求項１〜３のいずれかに記載するペットの排泄物処理容器の補助具。
【請求項５】
請求項４記載の紙製シートが、適度の加圧で変形可能な剛性を有するか又は、水溶性である厚手の紙、再生の上質紙、色上質紙、クラフト紙又はコートボールなどの紙であることを特徴とする、請求項４記載の補助具。
【請求項６】
前記補助具を構成する紙製シートの厚さが、約０．２ｍｍ〜０．８ｍｍであることを特徴とする、請求項４又は請求項５記載の補助具。
【考案の詳細な説明】
【技術分野】
【０００１】
本考案は、犬又は猫等のペットの排泄物処理容器及び補助具に係り、より詳しくは、主に飼い主が、犬の屋外における散歩運動等に随行している時、該犬が排泄した糞を簡便に除去し、家庭に持ち帰って処理することが容易であり、かつ携行に至便なペットの排泄物処理容器及び補助具に関する。
【背景技術】
【０００２】
近年、我国において高齢化社会、核家族化と少子化がますます進行することに伴い、各種のペット特に犬又は猫等を、一種の「癒し」又は家族の一員として飼育する家庭又は個人が増加し、ペットブーム到来とも喧伝されている。
【０００３】
ペット類のうち、特に犬はほぼ毎日、適度の運動をさせることが必要で、そのため家人の誰かが、近辺の公園又は周辺道路を散歩させている。この屋外における散歩運動時に、犬は排尿、排便することが多々あり、排尿は犬の生理本能で、これを止めたり処理することは通常不可能であり、その排尿行為に遭遇した一般人（ペットの非飼育者）は、寛容な態度で遇している。
【０００４】
しかし、公園又は道路等の公共場所における犬の排便行為については、モラルないしはマナー上、飼い主は速やかにこれを処理しなければならない。飼い主は、愛犬の排泄物を拾得し、自宅に持ち帰り廃棄する必要があるため、多くの飼い主は、愛犬の散歩運動等に随行するとき、例えば、糞処理専用器具やティッシュペーパ、ポリ袋、小型スコップ及び手提げ袋等を携行し、地面等に排泄した糞を、専用器具で拾得するか又はティッシュペーパ、スコップ等で掬い取り、ポリ袋に入れ手提げ袋等にこれを収容し、自宅に持ち帰り水洗トイレ等で処分している。  
【０００５】
また、犬等のペットの糞の始末を簡単に行うことができる、ペット用糞処理用袋を提供するとして、特開２００４−４９１１０が提案、開示されている。これは、水溶性を有する紙製の外袋に、それよりも深いポリエチレン製の内袋を収容した構造とし、使用時には、内袋に手を差し入れ、外袋側で包むようにペットの糞をつかんで、外袋と内袋とを逆転させるように裏返すといった簡単な作業で糞を内袋に収容でき、収容した糞は、外袋にくるまれた状態のままで水洗トイレに流すことができ、内袋にマチを設けることにより、内袋に手を差し入れる作業や外袋と内袋とを逆転させる作業を行いやすくする、としている。  
【０００６】
また、実登３０６５６４１の、使い捨て犬のフンすくい包み取り具は、厚紙を犬のフン取り具の形に切り、フン取り具をつくり、犬のフンをすくい取って、上面へ耐久性紙をかぶせ包み、捨てるようにした、ことを特徴としている。
【特許文献１】特開２００４−４９１１０号公報
【特許文献２】登録実用新案第３０６５６４１号公報
【考案の開示】
【考案が解決しようとする課題】
【０００７】
しかしながら、犬の散歩運動時に、糞処理専用器具やティッシュペーパ、ポリ袋、小型スコップ及び手提げ袋等を携行するのは煩瑣であり、スコップ等を使い脱糞を除去する作業も疎ましいうえに、散歩を終えて帰宅してからも、専用器具やスコップ等を洗浄しなければならないし、またポリ袋等は分別処理の手間もかかる。
【０００８】
一方、特許文献１のペット用糞処理用袋による犬糞除去は、内袋に手を差し入れ、外袋側で包むようにペットの糞をつかむので、生温い糞の感触があり、不快感を伴い、また外袋と内袋とを逆転させる裏返し作業が必要なので、その作業中に犬糞が随行者の手指又は着衣に接触することもあり、不快であると共に非衛生的である、という欠点がある。さらに、ポリエチレン製の内袋に収容された糞は、そのまま家庭の水洗トイレで流されるので、排水管の目詰まり等故障の原因になり、また環境衛生上も問題である。
【０００９】
また、特許文献２の使い捨て犬のフンすくい包み取り具は、厚紙を犬のフン取り具の形に切り、フン取り具をつくり、丈夫な紙をトイレットペーパーロール紙の幅にし、フン取り具の１．５倍の長さに切り、裏面２カ所糊付けし、丈夫な紙を２つに折り、半分上面糊で貼りつけて作られるが、その製作工程も多く、かつ煩雑であり、またその使用に際しては、両手を使うので雨天時には不適であるという欠点がある。
【００１０】
本考案の目的は、背景技術、特許文献１及び特許文献２が有する種々の課題を解決し、愛犬の排泄物を、道路等の路面に落下させることなく、手早くこれを捕捉し、また糞処理専用器具やスコップ等の器具も不要で、高齢者又は子供等にも使用と携行に至便な、ペットの排泄物処理容器とその補助具を提供することにある。
【課題を解決するための手段】
【００１１】
上記の目的を達成するために、本考案のうち請求項１記載の考案は、平面視ほぼ四角形状の一枚の紙製シートからなり、一の角部を三角形状に切除すると共に、切除した切断線から対向する対辺に向けて複数の直線状折り線を、また前記対辺間にも直線状折り線を刻設し、前記切断線の内周縁と該切断線の両端に接する連接辺の内周縁とを、接着剤を介して接合し、把持部、底部、側壁部、開口部、糞受部及び蓋片を形成してなることを特徴としている。
【００１２】
目的を達成するための請求項２記載の考案は、前記紙製シートが、適度の加圧で変形
可能な剛性を有するか又は、水溶性である厚手の紙、再生の上質紙、色上質紙、クラフト紙又はコートボールなどの紙であることを特徴としている。
【００１３】
目的を達成するための請求項３記載の考案は、前記紙製シートの厚さが、約０．２ｍｍ〜０．８ｍｍであることを特徴としている。
【００１４】
目的を達成するための請求項４記載の考案は、平面視長方形又は正方形状の一枚の紙製シートからなり、該紙製シートの中心を結ぶ対辺に、他の対辺に平行する直線状折り線を刻設したことを特徴としている。
【００１５】
目的を達成するための請求項５記載の考案は、請求項４記載の紙製シートが、適度の加圧で変形可能な剛性を有するか又は、水溶性である厚手の紙、再生の上質紙、色上質紙、クラフト紙又はコートボールなどの紙であることを特徴としている。
【００１６】
目的を達成するための請求項６記載の考案は、前記補助具を構成する紙製シートの厚さが、約０．２ｍｍ〜０．８ｍｍであることを特徴としている。
【考案の効果】
【００１７】
本考案に係る、ペットの排泄物処理容器は、上記の構成になるから以下の効果を奏する。請求項１ないし請求項３の考案による、第１の効果は、構造が単純なので、ペットの排泄物処理容器の製作が容易である。即ち紙製シートをほぼ四角形状とする打ち抜きと折り線刻設作業を同時に行い、蓋片を糞受部の下面に折り込み、切断線に接する連接辺を接合すれば、本考案に係る、ペットの排泄物処理容器の製作は短時間で完了する。
【００１８】
第２の効果は、紙製シートには複数の折り線が刻設されているので、不使用時においては、ペットの排泄物処理容器全体は扁平状となっているので、保管及び携行に便利であり、また、紙製シートの素材が適度の加圧で変形可能な剛性を有するか又は、水溶性である厚手の紙等なので、使用に際しては、ペットの排泄物処理容器の一部例えば、一方の親指、人指し指等で把持部を摘み、他方の人指し指等で側壁部又は糞受部の下面等を適度に加圧するだけで、筒状体のペットの排泄物処理容器が即座に形成され、愛犬の排泄物を、路面等に落下させることなく、手早くこれを捕捉することができ、排泄物が路面等に落下しても、開口部に連接された糞受部がスコップ替わりとなって、排泄物を掬い取ってペットの排泄物処理容器内に収容し、蓋片を折り返して開口部を閉塞できる。したがって、スコップ等の器具は不要で、高齢者又は子供等にも簡便に使用でき、排泄物が手指や着衣に接触することがないので衛生的であり、またペットの排泄物処理容器が把持部付きの筒状体であるから、手指には排泄物の温度を感じないので、その作業が不快とならない。
【００１９】
第３の効果は、事後処理が簡便にできる。即ち排泄物を収容したペットの排泄物処理容器は家庭に持ち帰り、ペットの排泄物処理容器が非水溶性なら、排泄物を水洗トイレに投入して流し込み、該ペットの排泄物処理容器は可燃ごみとしてごみ袋に投入して処理できる。またペットの排泄物処理容器が水溶性なら、排泄物と共に水洗トイレに投入して処理できる。
【００２０】
請求項４ないし請求項６の補助具によれば、該補助具に設けた折り線を介して折り畳み、これをスコップ替わり又はヘラとして地面等に落下した排泄物を手早く収集し、ペットの排泄物処理容器内への収容を簡便に行うことができる。また、ペットの排泄物処理容器と同一の素材を、裁断機等で所定寸法の長方形又は正方形に打ち抜くと共に、折り線を設けるだけ製作が完了し、さらにこれを使用した後、素材が非水溶性なら可燃ごみとしてごみ袋に投入して処理し、水溶性なら、排泄物と共に水洗トイレに投入して処理できる。
【００２１】
本考案に係る、ペットの排泄物処理容器及び補助具は、上述したように、その素材、構造、製作工程等が極めてシンプルであり、短時間で大量生産が可能なので、製作コストが廉価となる。
【考案を実施するための最良の形態】
【００２２】
以下、本考案に係る、ペットの排泄物処理容器（以下、容器Ｃと略称）及び補助具の実施形態について図面を参照しながら説明する。図１〜図４は、本考案に係る、容器Ｃの第１の実施形態を示し、図１は、容器Ｃを筒状体として使用態様を説明する斜視図、図２は、容器Ｃを製作するための紙製シート１の展開図、図３は、容器Ｃを組み立てた状態の側面図、図４は、犬糞Ｆを収容した状態の斜視図、図５及び図６は、本考案に係る、容器の第２実施形態を示し、図５は、その容器Ｃ’の斜視図、図６は、その紙製シート１０の展開図、図７（イ）は、補助具Ｓの平面図、図７（ロ）は、他の実施形態である補助具Ｓ’の平面図である。
【００２３】
図１の容器Ｃは、図２の展開図に示す、打ち抜かれた紙製シート１に刻設された折り線等を介して、把持部２、底部３、側壁部４、４’、開口部５、糞受部６及び蓋片７からなる筒状体を形成しており、散歩中の愛犬が排泄態勢をとったときは、容器Ｃの開口部５を犬の肛門に当接し、糞受部６で排便を捕捉するものである（不図示）。図１に示すように、犬糞Ｆが路面等に落下したとき、犬の飼い主Ｈは、把持部２を親指Ｈ１、人指し指Ｈ２等で把持し、糞受部６の先端６ａを犬糞Ｆの下面に滑り込ませるようにして掬い取り、図４に示すように該先端６ａを起立させて底部３に収容する。
【００２４】
図２において、厚手（約０．２ｍｍ〜０．８ｍｍ）の紙等を素材とする紙製シート１は、裁断機（不図示）等で図に示すように、ほぼ四角形状に打ち抜かれ、同時に一の角部１ａは三角形状に切除される。また一の角部１ａの切断線１ｂから対向する対辺１ｃ、１ｄ及び角部１ｅに向けて直線状折り線（一点鎖線）１ｆ、１ｇ及び１ｈ、さらに対辺１ｃと１ｄ間には折り線１ｇを交叉して折り線１ｉ、１ｊ、１ｋも同期的に刻設され、切除された角部１ａに連接する両連接辺１ｍ、１ｎの内周縁１ｐ及び１ｑは、糊代であり、それぞれ接着剤が塗布（ハッチング部）される。
【００２５】
図３は、容器Ｃを組み立て、折り畳まれて扁平とした状態を示し、図２における折り線１ｆと１ｈを谷折りすれば、内周縁１ｐと１ｑは接着剤により接合されて把持部２、底部３、側壁部４、４’、糞受部６が形成される。また、対辺１ｃ、１ｄ及び折り線１ｊ、１ｋで形成される領域は、図１に示すように、路面等の糞を掬いとるときは、糞受部６の補強板となり、また図４に示すように、糞Ｆを容器Ｃ内に収容した後、上方に向けて折り線１ｉを介して矢印のように折り返せば、開口部５を閉塞する蓋片７となるもので、折り線１ｉを山折りして糞受部６の下面に固定して容器Ｃの製作は完了する。
【００２６】
図５は、第２の実施形態である容器Ｃ’を示し、素材となる紙製シート１０及び製作工程等は、第１の実施形態とほぼ同様であり、両者の主な相異点は、図６の展開図に示すように、一の角部１０ａの切断線１０ｂから対向する対辺１０ｃ、１０ｄに向けての直線状折り線を、より多数刻設したものであり、１０ｆ、１０ｈに加えて、折り線１０ｉ、１０ｊ、１０ｋ、１０ｍを設け、さらに対辺１０ｃと１０ｄ間には折り線１０ｎ、１０ｐが設けられている点にある。
【００２７】
したがって、製作完了後の容器Ｃ’の形状は、図５及び図６に示すように、第１の実施形態の容器Ｃの形状とはやや相異するが、第１の実施形態の容器Ｃと同様に、その構造においては把持部２０、底部３０、側壁部４０、４０’、開口部５０、糞受部６０及び蓋片７０からなる筒状体を形成しており、また、糞の捕捉ないし掬い取り等の使用態様は、第１の実施形態の容器Ｃと同様である。なお、１０ｑ及び１０ｒは糊代である。
【００２８】
図７は、容器Ｃ及び容器Ｃ’を使用して糞を収集する際の補助具Ｓ及びＳ’を示し、図７（イ）の補助具Ｓは、図示するように、長方形状で厚手（約０．２ｍｍ〜０．８ｍｍ）の再生紙等を素材とする紙製シート１００からなり、対辺１００ａと１００ｂの中心に対向する対辺１００ｃと１００ｄに平行する直線状折り線１００ｆを刻設してなり、該折り線１００ｆを介し折り畳んで使用するもので、その使用に際しては、容器Ｃ及び容器Ｃ’のみでの糞Ｆ拾得が困難なときに、これをスコップ替わり又はヘラとして糞Ｆを収集し、容器Ｃ及び容器Ｃ’内に掻き入れる道具となる。
【００２９】
図７（ロ）の補助具Ｓは、図示するように、正方形状で厚手の紙等を素材とする紙製シート１１０からなり、対辺１１０ａと１１０ｂの中心に対向する対辺１１０ｃと１１０ｄに平行する直線状折り線１１０ｆを刻設してなり、該折り線１１０ｆを介し折り畳んで使用するもので、その使用に際しては、容器Ｃ及び容器Ｃ’のみでの糞拾得が困難なときに、これをスコップ替わり又はヘラとして糞を収集し、容器Ｃ及び容器Ｃ’内に掻き入れる道具となる。
【００３０】
容器Ｃ、容器Ｃ’及び補助具Ｓ、Ｓ’のサイズは、例えばスピッツ、マルチーズ等小型犬用の小からシェパード、ゴールデンリトルバー等大型犬用に対応するように、小、中、大 の三種が製作され、容器Ｃ、容器Ｃ’は単独で販売されるか又は補助具Ｓ、Ｓ’とセットで販売される。
【図面の簡単な説明】
【００３１】
【図１】容器Ｃを筒状体として使用態様を説明する斜視図である。
【図２】容器Ｃを製作するための紙製シート１の展開図である。
【図３】容器Ｃを組み立てた状態の側面図である。
【図４】犬糞Ｆを収容した状態の斜視図である。
【図５】容器Ｃ’の斜視図である。
【図６】同上、紙製シート１０の展開図である。
【図７】（イ）は、補助具Ｓの平面図である。           （ロ）は、補助具Ｓ’の平面図である。
【符号の説明】
【００３２】
Ｃ、Ｃ’                  容器
１、１０                  紙製シート
２、２０                  把持部
３、３０                  底部
４、４’、４０、４０’     側壁部
５、５０                  開口部
６、６０                  糞受部
６ａ                      先端
７、７０                  蓋片
１ａ、１０ａ              一の角部
１ｂ、１０ｂ              切断線
１ｃ、１ｄ、１０ｃ、１０ｄ対辺
１ｆ、１ｇ、１ｈ          折り線
１ｉ、１ｊ、１ｋ          折り線
１ｍ、１ｎ                連接辺
１ｐ、１ｑ                糊代
１０ｆ、１０ｈ、１０ｉ    折り線
１０ｊ、１０ｋ、１０ｍ    折り線
１０ｎ、１０ｐ            折り線
１０ｑ、１０ｒ            糊代
Ｓ、Ｓ’                  補助具
１００、１１０            紙製シート
１００ａ、１００ｂ        対辺
１１０ａ、１１０ｂ        対辺
１００ｃ、１００ｄ        対辺
１１０ｃ、１１０ｄ        対辺
１００ｆ、１１０ｆ        折り線
Ｈ                        飼い主
Ｆ                        糞
Ｓ、Ｓ’                  補助具
【図１】
0003116937.tif 000003
【図２】
0003116937.tif 000004
【図３】
0003116937.tif 000005
【図４】
0003116937.tif 000006
【図５】
0003116937.tif 000007
【図６】
0003116937.tif 000008
【図７】
0003116937.tif 000009